(57)【要約】【課題】  直下式バックライトにおいて、小口径の蛍光管を確実に保持することができ、かつ、低温駆動時もしくは初期点灯時におけるランプホルダーと蛍光管の接触位置付近の輝度低下を抑制できる蛍光管支持体、これを用いた直下式バックライト装置及びこの直下式バックライト装置を用いた液晶表示装置を提供する。【解決手段】  直下式バックライト装置２に用いられ、複数の蛍光管９を位置決め支持するランプクリップ１０であって、蛍光管９の動径方向に沿って蛍光管９の外周の一部を収納する収納部１２と、蛍光管９をランプクリップ１０に位置決め支持する突出部１７とを備えたことを特徴とするものとする。【選択図】  図２
2006286341.tif 000002
【特許請求の範囲】
【請求項１】
液晶パネルの背面側に複数本の蛍光管を配置する直下式バックライト装置に用いられ、複数の蛍光管を液晶パネルの背面側で位置決め支持する蛍光管支持体であって、
前記蛍光管の外周の一部を包囲して収納する収納部と、
前記蛍光管の外周部の一部と当接して該蛍光管の外周部の一部を前記収納部の該蛍光管と対向する内側部から離間して支持する突出部とを備えたことを特徴とする蛍光管支持体。
【請求項２】
前記突出部は、前記収納部の前記蛍光管と対向する内側部に、該蛍光管の長手方向に沿って形成されたことを特徴とする請求項１に記載の蛍光管支持体。
【請求項３】
前記突出部は、前記収納部の外部に、前記蛍光管の長手方向に沿って形成されたことを特徴とする請求項１に記載の蛍光管支持体。
【請求項４】
前記突出部は、前記収納部の前記蛍光管と対向する内側部に、該蛍光管の動径方向に沿って形成されたことを特徴とする請求項１に記載の蛍光管支持体。
【請求項５】
前記蛍光管支持体はプラスチック素材で形成されたことを特徴とする請求項１乃至４に記載の蛍光管支持体。
【請求項６】
複数本の蛍光管を位置決め保持する蛍光管支持体を備え、前記蛍光管支持体によって液晶パネルの背面側に複数本の蛍光管を配置する直下式バックライト装置において、
前記蛍光管支持体として、請求項１乃至５のうちの何れか一項に記載の蛍光管支持体を備えたことを特徴とする直下式バックライト装置。
【請求項７】
複数本の蛍光管を位置決め保持する蛍光管支持体を備え、前記蛍光管支持体によって液晶パネルの背面側に複数本の蛍光管を配置する直下式バックライト装置を用いた液晶表示装置であって、
前記直下式バックライト装置として、請求項６に記載のバックライト装置を備えたことを特徴とする液晶表示装置。
【発明の詳細な説明】
【技術分野】
【０００１】
本発明は、蛍光管支持体、これを用いた直下式バックライト装置およびこの直下式バックライト装置を用いた液晶表示装置に係り、特に、液晶パネルの背面側より複数本の蛍光管により照射するようにした直下式バックライト装置に用いられる蛍光管支持体と、その直下式バックライト装置およびこの直下式バックライト装置を用いた液晶表示装置に関する。
【背景技術】
【０００２】
従来、液晶表示装置においては、液晶パネルの背面側より複数本の蛍光管により照射するようにした直下式バックライト装置が多く採用されている。
【０００３】
直下式バックライト装置は、一般に、液晶パネルの背面に光を拡散させる拡散板を配置し、その後方に複数本の蛍光管を平行に並設した反射板を配置するように構成されている。
【０００４】
前記複数本の蛍光管は、その両端部が蛍光管支持体により反射板に取り付けられ、その両端部の電極から延設されたリード線は、蛍光管駆動電源回路に接続されている。
【０００５】
前記蛍光管駆動電源回路は、液晶表示装置の状態に応じて制御され、蛍光管点灯時には、蛍光管からの発光光を直接光と反射板による反射光として拡散板に到達し、拡散板により拡散されて、液晶パネルの背面を均一に照射することで、輝度ムラのない映像を表示するようにされている。
【０００６】
従来の直下式バックライト装置においては、通常、蛍光管を保持するためのランプクリップにより液晶パネルの裏側に複数の蛍光管を支持するようにされている。
従来のランプクリップは、例えば、図１４に示すように、蛍光管９を確実に保持するために、略円筒状の蛍光管９の外周に沿った方向（動径方向）をほぼ覆うように収納できる収納部６１２が形成され、この収納部６１２に蛍光管９の発光する中間部が収納保持されることにより、該蛍光管９の配置位置を固定するようになっている。
従って、液晶表示装置の衝撃時や振動時においても蛍光管９の位置がズレないようにすることが可能になる（特許文献１を参照）。
【０００７】
具体的には、従来の直下式バックライト装置６０２は、図１５に示すように、主に、液晶パネル３の背面に反射偏光板４、プリズムシート５、拡散シート６、拡散板７を順次配置し、さらに後方に筐体８に一体的に構成された複数本の蛍光管９と、インバータ装置２０とにより構成されている。
【０００８】
筐体８には、主に、同じ円筒形状を有する複数本の蛍光管９と、該蛍光管９を支持する蛍光管支持体としてのランプクリップ６１０と、蛍光管９からの光を反射する反射シート８ａ等が一体的に設けられている。
【０００９】
ランプクリップ６１０は、図９及び図１６（ａ），（ｂ）に示すように、筐体８側に固定されるベース部６１１と、ベース部６１１上に蛍光管９をその長手方向に対しほぼ垂直な断面方向から蛍光管９を２本収納保持するための収納部６１２と、筐体（もしくはシールドシャーシ）８に対してベース部６１１を位置決め固定するための係合部６１４と、蛍光管９と拡散板７との距離を規制するための拡散板支持用突起部１６を有している。
【００１０】
収納部６１２の蛍光管９と対応する部位は、ほぼ蛍光管９の断面の円形状の少なくとも一部とほぼ勘合するように形成されている。これによって、平行配列された互いの蛍光管の位置関係を固定することができ、例えば振動環境下や衝撃時においても、この蛍光管９同士の位置のズレなどによる輝度むら等を抑制することができる。
【００１１】
拡散板支持用突起部１６は、蛍光管９と拡散板７の距離が必要以上に近づくこと、あるいは、拡散板７のランプ方向への反り現象に等によって生じ易い拡散板７上に映るランプ像の輝度むら等を防止している。
【００１２】
筐体８には、係合部６１４と対応する位置に取付け穴６８１が形成され、これによって筐体８上におけるランプクリップ６１０の位置が固定され、蛍光管９の位置も固定される構成が成立する。
【００１３】
また、このランプクリップ６１０と筐体８との間には、予めこの筐体８と同じ所定位置に形成された穴８ａ１を通して反射シート８ａが配置される。
この反射シート８ａの素材としては、主に工業性プラスチック（例えば、ポリカーボネート等のプラスチック素材）によって構成されている。従って、その材料の性質上、液晶表示装置全体を立てかけた時に、反射シート８ａ自体で曲がらない状態を維持するのは困難であるため、筐体８とともに液晶表示装置６０１を支持するという上記構成は適しているといえる。
【特許文献１】特開２００１−２１５４９７号公報
【発明の開示】
【発明が解決しようとする課題】
【００１４】
しかしながら上記従来例によると、ランプクリップ６１０の収納部６１２で蛍光管９を確実に保持できる反面、蛍光管９とランプクリップ６１０との接触面において、図１７に示すように、蛍光管９からランプクリップ６１０への熱伝達作用によって、収納部６１２付近のランプの周辺温度が局所的に低下し、その結果、この収納部６１２における輝度が局所的（図中のＣ部）に低下するという問題点を有していた。
【００１５】
特に、液晶パネル３の背面に蛍光管９が配置される、いわゆる直下式バックライトにおいては、氷点下環境下における初期駆動時において顕著に発生し、表示画面上への局所的な輝度ムラの要因になっていた。
【００１６】
しかしながら、このような問題のために収納部で蛍光管を固定する手段を廃止したのでは、蛍光管の衝撃時あるいは振動に伴い、平行に配置された複数本の蛍光管の振動等を抑制する手段を講じる事ができなくなり、その結果、複数本の隣り合う蛍光管の位置関係が安定せず今度はバックライト全体ランプ配置のバラつきに起因する輝度むらに影響を与えることになる。
【００１７】
そして、このような問題は、特に、小口径（例えば４ｍｍφ以下）でかつ長尺（例えば１０００ｍｍ程度）である蛍光管を用いた大型でかつ薄型化が要求される液晶表示装置においては非常に深刻な問題である。
【００１８】
本発明は、上記従来の問題点を鑑みてなされたものであって、大型かつ薄型化が要求されるような液晶表示装置に用いられる直下式バックライトにおいても、より小口径の蛍光管を確実に保持することができ、かつ、低温駆動時もしくは初期点灯時におけるランプホルダーと蛍光管の接触状態における接触位置付近の輝度低下を抑制することができる蛍光管支持体、これを用いた直下式バックライト装置およびこの直下式バックライト装置を用いた液晶表示装置を提供することを目的とするものである。
【課題を解決するための手段】
【００１９】
上述した課題を解決するための本発明に係る画像処理装置の各構成は、次の通りである。
【００２０】
請求項１に記載した蛍光管支持体は、液晶パネルの背面側に複数本の蛍光管を配置する直下式バックライト装置に用いられ、複数の蛍光管を液晶パネルの背面側に位置決め支持する蛍光管支持体であって、前記蛍光管の動径方向に沿って該蛍光管の外周の一部を包囲して収納する収納部と、前記蛍光管の外周部の一部と当接して該蛍光管の外周部の一部を前記収納部の該蛍光管と対向する内側部から離間して支持する突出部とを備えたことを特徴とするものである。
【００２１】
請求項２に記載した蛍光管支持体は、請求項１に記載した構成に加えて、前記突出部を、前記収納部の前記蛍光管と対向する内側部に、該蛍光管の長手方向に沿って形成するようにしたことを特徴とするものである。
【００２２】
請求項３に記載した蛍光管支持体は、請求項１に記載した構成に加えて、前記突出部を、前記収納部の外部に、前記蛍光管の長手方向に沿って形成するようにしたことを特徴とするものである。
【００２３】
請求項４に記載した蛍光管支持体は、請求項１に記載した構成に加えて、前記突出部を、前記収納部の前記蛍光管と対向する内側部に、該蛍光管の動径方向に沿って形成するようにしたことを特徴とするものである。
【００２４】
請求項５に記載した蛍光管支持体は、前記蛍光管支持体はプラスチック素材で形成されたことを特徴とするものである。
【００２５】
請求項６に記載した直下式バックライト装置は、複数本の蛍光管を位置決め保持する蛍光管支持体を備え、前記蛍光管支持体によって液晶パネルの背面側に複数本の蛍光管を配置する直下式バックライト装置において、前記蛍光管支持体として、請求項１乃至５のうちの何れか一項に記載の蛍光管支持体を備えたことを特徴とするものである。
【００２６】
請求項７に記載した液晶表示装置は、複数本の蛍光管を位置決め保持する蛍光管支持体を備え、前記蛍光管支持体によって液晶パネルの背面側に複数本の蛍光管を配置する直下式バックライト装置を用いた液晶表示装置であって、前記直下式バックライト装置として、請求項６に記載のバックライト装置を備えたことを特徴とするものである。
【発明の効果】
【００２７】
請求項１〜４に記載した発明によれば、液晶パネルの背面側に複数本の蛍光管を配置する直下式バックライト装置に用いられ、複数の蛍光管を液晶パネルの背面側に位置決め支持する蛍光管支持体であって、前記蛍光管の動径方向に沿って該蛍光管の外周の一部を包囲して収納する収納部と、前記蛍光管の外周部の一部と当接して該蛍光管の外周部の一部を前記収納部の該蛍光管と対向する内側部から離間して支持する突出部とを備えたことで、大型かつ薄型化が要求されるような液晶表示装置に用いられる直下式バックライトにおいても、より小口径の蛍光管を確実に保持することができ、また、前記蛍光管と前記収納部の内側部との接触面積を、前記収納部に収納される蛍光管の表面積よりも小さくできるので、蛍光管との接触面から奪われる熱量を最小限に止め、低温駆動時もしくは初期点灯時における蛍光管支持体と蛍光管の接触状態における接触位置付近の輝度低下を抑制することができる、という優れた効果を奏し得る。
【００２８】
また、請求項１〜４に記載の発明で得られる上記共通の効果に加え、各請求項に記載の発明によれば次の効果を得ることができる。
【００２９】
詳しくは、請求項２に記載した発明によれば、前記突出部を、前記収納部の前記蛍光管と対向する内側部に該蛍光管の長手方向に沿って形成するようにしたことで、蛍光管支持部の構成をコンパクトにできる。
【００３０】
さらに、例えば、前記突出部の先端部を、断面視で鋭角状に形成することで、その先端部と蛍光管と接触する部分の面積を最小限にできるので、蛍光管の接触部から奪われる熱量を最小限に止めることができる。
【００３１】
請求項３に記載した発明によれば、前記突出部を、前記収納部の外部に、例えば、該収納部に隣接して前記蛍光管の長手方向に沿って形成し、例えば、その先端部を鋭角に形成したことで、その先端部と蛍光管と接触する部分の面積を最小限にできるので、蛍光管の接触部から奪われる熱量を最小限に止めることができる。
【００３２】
請求項４に記載した発明によれば、前記突出部を、前記収納部の前記蛍光管と対向する内側部に、該蛍光管の動径方向に沿って形成したことで、蛍光管を収納部の内側部に沿って安定して支持することができる。
【００３３】
また、請求項５に記載した発明によれば、前記蛍光管支持体はプラスチック素材で形成されたことによって、プラスチックの剛性を維持する程度の蛍光管支持体の収納部を有ししながらも、その収納部と蛍光管との接触面積を少なくすることができる。
【００３４】
また、請求項６に記載した発明によれば、複数本の蛍光管を位置決め保持する蛍光管支持体を備え、前記蛍光管支持体によって液晶パネルの背面側に複数本の蛍光管を配置する直下式バックライト装置において、前記蛍光管支持体として、請求項１乃至４のうちの何れか一項に記載の蛍光管支持体を備えたことで、大型かつ薄型化が要求されるような液晶表示装置に用いられる直下式バックライトにおいても、より小口径の蛍光管を確実に保持することができ、また、前記蛍光管と接触する前記突出部の接触面積を、前記収納部に収納される蛍光管の表面積よりも小さくできるので、蛍光管との接触面から奪われる熱量を最小限に止め、低温駆動時もしくは初期点灯時におけるランプホルダーと蛍光管の接触状態における接触位置付近の輝度低下を抑制することができる、という優れた効果を奏し得る。
【００３５】
さらに、請求項７に記載した発明によれば、複数本の蛍光管を位置決め保持する蛍光管支持体を備え、前記蛍光管支持体によって液晶パネルの背面側に複数本の蛍光管を配置する直下式バックライト装置を用いた液晶表示装置であって、前記直下式バックライト装置として、請求項５に記載のバックライト装置を備えたことで、大型かつ薄型化が要求されるような液晶表示装置に用いられる直下式バックライトにおいても、より小口径の蛍光管を確実に保持することができ、前記蛍光管と前記収納部の内側部との接触面積を、前記収納部に収納される蛍光管の表面積よりも小さくできるので、蛍光管との接触面から奪われる熱量を最小限に止め、低温駆動時もしくは初期点灯時におけるランプホルダーと蛍光管の接触状態における接触位置付近の輝度低下を抑制することができる、という優れた効果を奏し得る。
【発明を実施するための最良の形態】
【００３６】
以下、本発明の実施の形態について図面を参照して詳細に説明する。
図１〜３は本発明を実施する形態の一例であって、図１は本発明の一実施形態に係る蛍光管支持体が採用された直下式バックライト装置を適応した液晶表示装置の構成を示す側面断面図、図２は図１のＡ部詳細であって前記蛍光管支持体の構成を示す詳細図、図３は前記蛍光管支持体の蛍光管を収納する収納部の構成を示す部分詳細図である。
【００３７】
本実施形態は、図１に示すように、複数本の蛍光管９を位置決め支持する蛍光管支持体としてのランプクリップ１０を備え、該ランプクリップ１０によって液晶パネル３の背面側に複数本の蛍光管９を配置して、該液晶パネル３を背面から照射するようにした直下式バックライト装置２を採用したことを特徴とする液晶表示装置１である。
【００３８】
まず、本実施形態に係る直下式バックライト装置２について概要を説明する。
直下式バックライト装置２は、図１に示すように、主に、液晶パネル３の背面に反射偏光板４、プリズムシート５、拡散シート６、拡散板７を順次配置し、さらに後方に筐体（もしくはシールドシャーシ）８に一体的に構成された複数本の蛍光管９と、インバータ装置２０とにより構成されている。
【００３９】
筐体８には、その内側に同じ円筒形状を有する複数本の蛍光管９がランプクリップ１０により保持されるとともに、該蛍光管９からの光を反射する反射シート８ａが蛍光管９と筐体８との間に一体的に設けられている。
【００４０】
また、筐体８には、図２に示すように、ランプクリップ１０に設けられた後述する係合部１４と対応する位置に取付け穴８１が形成され、これによって筐体８上におけるランプクリップ１０の位置が固定され、蛍光管９の位置も固定される構成が成立する。
【００４１】
反射シート８ａには、筐体８の取付け穴８１に対応した所定位置に取付け穴８ａ１形成され、これにより、反射シート８ａが筐体８上に位置決めされる。
【００４２】
次に、本実施形態に係る蛍光管支持体としてのランプクリップ１０について図面を参照して詳細に説明する。
ランプクリップ１０は、図２に示すように、筐体８側に固定されるベース部１１と、該ベース部１１上に蛍光管９をその長手方向に対しほぼ垂直な断面方向から収納保持するための収納部１２，と、筐体８に対してベース部１１を位置決め固定するための係合部１４，と、蛍光管９と拡散板７との距離を規制するための拡散板支持用突起部１６を有している。
【００４３】
ベース部１１は、平面視で横長の矩形状を呈し、拡散板７側に向かう上面１１ａの略中央部には、円錐状に形成された拡散板支持用突起部１６が拡散板７側（図中上方）に向かい略垂直に突設されており、該拡散板支持用突起部１６を挟んで略等間隔に収納部１２，１２が並設されている。
【００４４】
ベース部１１の反射シート８ａに向かう裏面１１ｂには、上面１１ａに設けられた収納部１２に対応する位置に係合部１４が略垂直に反射シート８ａ及び筐体８を貫通する長さで突設されている。
【００４５】
係合部１４は、図２に示すように、ベース部１１から突出形成された軸部１４ａと、該軸部１４ａの先端部に形成されて筐体８から脱落防止のためのストッパ部１４ｂとにより構成されている。ストッパ部１４ｂは軸部１４ａよりも大径に形成されている。
【００４６】
拡散板支持用突起部１６は、ランプクリップ１０を筐体８に装着した状態で、その先端部が拡散板７に近接配置されるようになっている。これにより、蛍光管９と拡散板７の距離が必要以上に近づくこと、あるいは、拡散板７の蛍光管９方向への反り現象に等によって生じ易い拡散板７上に映るランプ像の輝度むら等を防止している。
【００４７】
ここで、収納部１２について詳細に説明する。
収納部１２は、図２，図３に示すように、図中上方より蛍光管９を装着可能に上部（反ベース部側）に開口部１２ａが形成された断面円弧形状（Ｃ字形状）に形成され、その開口部側端部１２ｂ，１２ｂの内側部が、蛍光管９の略円柱状の動径方向の外周に沿った外周の一部と当接するとともに、該蛍光管９の動径方向の外周に沿った外周部の一部を包囲するように構成されている。この開口部１２ａは、蛍光管９の外径よりも狭い幅で開口されている。
【００４８】
また、収納部１２は、弾性変形が可能な部材、例えば、プラスチック等の合成樹脂製で形成され、蛍光管９を開口部１２ａより収納部１２内に装着する時には、開口部１２ａが蛍光管９を嵌装できるように拡開可能であり、蛍光管９を収納した状態では開口部１２ａが元に戻るようにされている。また、開口部１２ａが元に戻る復元力で開口部側端部１２ｂ，１２ｂにより蛍光管９を収納部１２内側に向かい押えるようになっている。
【００４９】
また、収納部１２内側のベース側底部１２ｃには、図３に示すように、突出部１７が形成されている。この突出部１７は、蛍光管９が装着された状態における高さ方向の位置決めを行なう機能を備えている。突出部１７は、略三角形状の断面を有し、その先端部（頂部）１７ａが収納部１２の中心方向（図中上方）に向かい突出形成されている。
【００５０】
この突出部１７と前述した開口部側端部１２ｂ，１２ｂにより、蛍光管９の外周部を３方向の３箇所で支持するようにされている。この３箇所による蛍光管９の支持状態は、蛍光管９の外周部と突出部１７及び開口部側端部１２ｂ，１２ｂとのそれぞれの点接触、線接触、或は外周部に接触する範囲の狭い面接触により支持するようにされている。
【００５１】
以上のように構成したので、本実施形態のランプクリップ１０によれば、収納部１２によって蛍光管９の外周の一部を包囲するとともに、突出部１７により蛍光管９の高さ方向の位置決めを正確にでき、この突出部１７と開口部側端部１２ｂ，１２ｂとにより蛍光管を確実に支持することができる。
【００５２】
また、本実施形態によれば、蛍光管９は、収納部１２の開口部側端部１２ｂ，１２ｂの端部と突出部１７の端部のみと接触するだけなので、収納部１２の内側部（内周壁部）と広範囲に渡り接触することなく、蛍光管９の外周部との接触面から奪われる熱量を最小限に止めることができる。これにより、低温駆動時もしくは初期点灯時におけるランプクリップ１０と蛍光管９の接触状態における接触位置付近の輝度低下を抑制することができる。
【００５３】
尚、本実施形態では、蛍光管９を開口部側端部１２ｂ，１２ｂ及び突出部１７とにより、該蛍光管９の外周部を動径方向の外周に沿って３方向の３箇所で位置決め支持しているが、本発明は、蛍光管を支持する方向や位置に限定されるものではなく、例えば、蛍光管を複数箇所で支持（挟持または把持する状態も含む）するようにしたものであっても良い。
【００５４】
以下に、本実施形態に係るランプクリップ１０の具体的な実施例について、図面を参照して詳細に説明する。
尚、以下に示すランプクリップは、前述した実施形態に係る直下式バックライト装置２や液晶表示装置１等の複数の蛍光管が装着される装置に採用されるものであって、装置全体の構成は、前述した実施形態の図１を参照して説明を省略するものとし、同一の構成要素を用いる場合は同一の符号を付することで説明を省略する。
【００５５】
（実施例１）
図４（ａ），（ｂ）は実施例１に係るランプクリップの構成を示す説明図であって、（ａ）は前記ランプクリップの正面図、（ｂ）は前記ランプクリップの平面図、図５は前記ランプクリップの蛍光管を収納する収納部の構成を示す部分詳細図である。
【００５６】
実施例１に係るランプクリップ１１０は、図４（ａ），（ｂ）に示すように、ベース部１１１上に蛍光管９をその長手方向に対しほぼ垂直な断面方向から収納保持するための収納部１１２，１１２を備えたものである。
【００５７】
収納部１１２は、図５に示すように、図中上方より蛍光管９を装着可能に上部（反ベース部側）に開口部１１２ａが形成され、開口部側端部１１２ａ１，１１２ａ１が上方に向かい拡開するように外側に湾曲して（断面Ｓ字状または断面逆Ｓ字状に）形成されている。
【００５８】
その開口部側端部１１２ａ１，１１２ａ１同士が最も近接対向する部分には、蛍光管９の略円柱状の動径方向の外周に沿ってその外周の一部を挟持する挟持部１１２ｂ，１１２ｂが、相対向する位置で互いに対向する向きに突設されている。
【００５９】
収納部１１２内側のベース側底部１１２ｃには、前述した実施形態の構成と同様に、図３に示すように、突出部１１７が形成されている。この突出部１１７は、蛍光管９が装着された状態における高さ方向の位置決めを行なう機能を備えている。突出部１１７は、収納部１１２の内側で蛍光管９の長手方向に沿って延設され、略三角形状の断面を有し、その先端部（頂部）１７ａが収納部１２の中心方向（図中上方）に向かい突出形成されている。
【００６０】
この突出部１１７と前述した挟持部１１２ｂ，１１２ｂにより、蛍光管９の外周部を３方向で且つ３箇所で支持するようにされている。この３箇所による蛍光管９の支持状態は、蛍光管９の外周部と突出部１１７及び挟持部１１２ｂ，１１２ｂとのそれぞれの線接触、或は外周部に接触する範囲の狭い面接触により支持するようにされている。
【００６１】
実施例１のランプクリップ１１０によれば、突設された挟持部１１２ｂ，１１２ｂによって蛍光管９を確実に挟持することができる。
【００６２】
（実施例２）
図６（ａ），（ｂ）は実施例２に係るランプクリップの構成を示す説明図であって、（ａ）は前記ランプクリップの正面図、（ｂ）は前記ランプクリップの平面図、図７は前記ランプクリップの蛍光管を収納する収納部の構成を示す部分詳細図である。
実施例２に係るランプクリップ２１０は、図６（ａ），（ｂ）に示すように、ベース部２１１上に蛍光管９をその長手方向に対しほぼ垂直な断面方向から収納保持するための収納部２１２，２１２を備えたものである。
【００６３】
収納部２１２は、図７に示すように、実施例１の構成と同様に、図中上方より蛍光管９を装着可能に上部（反ベース部側）に開口部２１２ａが形成され、開口部側端部２１２ａ１，２１２ａ１が上方に向かい拡開するように外側に湾曲して形成されている。
【００６４】
収納部２１２は、開口部側端部２１２ａ１，２１２ａ１同士が最も近接する部分が蛍光管の動径方向に沿って且つ相対向する位置で、対向する向きに膨出形成され、ここで蛍光管９の外周部を円周方向に沿って挟持する機能を備えている。
【００６５】
ベース部２１１上の収納部２１２のベース側底部２１２ｃを挟んで両側には、突出部２１７，２１７が形成されている。この突出部２１７，２１７は、蛍光管９が装着された状態における高さ方向の位置決めを行なう機能を備えている。この突出部２１７，２１７は、収納部２１２の外側に、蛍光管９の長手方向に沿って延設され、略三角形状の断面を有し、その先端部（頂部）２１７ａが図中上方に向かい突出形成されている。
【００６６】
この突出部２１７，２１７と前述した開口部側端部２１２ａ１，２１２ａ１により、蛍光管９の外周部を３方向で且つ４箇所で支持するようにされている。
【００６７】
実施例２のランプクリップ２１０によれば、収納部２１２を挟んでその外側に突出部２１７，２１７を形成したので、収納部２１２の構成を複雑にすることなく形成できる。また、突出部２１７，２１７を蛍光管９の長手方向に沿って距離を取って複数箇所に形成したので、蛍光管９を安定して支持することができる。
【００６８】
（実施例３）
図８（ａ），（ｂ）は実施例３に係るランプクリップの構成を示す説明図であって、（ａ）は前記ランプクリップの正面図、（ｂ）は前記ランプクリップの平面図、図９は前記ランプクリップの蛍光管を収納する収納部の構成を示す部分詳細図である。
実施例３に係るランプクリップ３１０は、図８（ａ），（ｂ）に示すように、ベース部３１１上に蛍光管９をその長手方向に対しほぼ垂直な断面方向から収納保持するための収納部３１２，３１２を備えたものである。
【００６９】
収納部３１２は、図９に示すように、実施例１の構成と同様に、図中上方より蛍光管９を装着可能に上部（反ベース部側）に開口部３１２ａが形成され、開口部側端部３１２ａ１，３１２ａ１が上方に向かい拡開するように外側に湾曲して形成されている。
【００７０】
収納部３１２の蛍光管９と対向する内側には、蛍光管９の外周部を円周方向に沿って挟持する突出部３１２ｂ，３１２ｂと、蛍光管９の動径方向に沿って蛍光管９を装着する際の高さ方向の位置決めを行なうための突出部３１７とが形成されている。
【００７１】
突出部３１２ｂ，３１２ｂは、蛍光管９の外周部を円周方向に沿って所定の範囲で形成される。
【００７２】
突出部３１７は、ベース側底部３１２ｃ付近に蛍光管９の動径方向に沿って所定の範囲で突出形成されている。
【００７３】
これらの突出部３１７，３１２ｂ，３１２ｂにより、蛍光管９の外周部を３箇所で支持するようにされている。
【００７４】
実施例３のランプクリップ３１０によれば、開口部側端部３１２ａ１付近に形成された突出部３１２ｂ，３１２ｂを蛍光管９の外周部を円周方向に沿って所定の範囲で形成したことで、蛍光管９を安定して挟持することができる。また、突出部３１２ｂ，３１２ｂ，３１７と蛍光管９との接触部を該蛍光管９の外周部に沿った形状に構成することで、蛍光管９を確実に位置決め保持することができる。
【００７５】
次に、実施例３の変形例を以下に示す。
図１０（ａ），（ｂ）は実施例３に係るランプクリップの一変形例の構成を示す説明図であって、（ａ）は前記ランプクリップの正面図、（ｂ）は前記ランプクリップの平面図、図１１は図１０のＢ部の詳細図であって前記ランプクリップの収納部の構成を示す斜視図、図１２は前記ランプクリップの蛍光管を収納する収納部の構成を示す部分詳細図である。
変形例として、図１０（ａ），（ｂ）及び図１２に示すように、収納部４１２の蛍光管９と対向する内側に形成される突出部４１２ｂを、蛍光管９の動径方向に沿ってベース側底部４１２ｃ付近も含めて開口部４１２ａの一方の開口部側端部４１２ａ１から他方の開口部側端部４１２ａ１に渡り連続的に矩形状断面を呈するように突出形成し、蛍光管９を装着する際の高さ方向の位置決めを行なう機能を持たせるようにしても良い。
【００７６】
また、さらに、その変形例として、図１３（ａ），（ｂ）に示すように、収納部５１２の蛍光管９と対向する内側に形成される突出部５１２ｂを、蛍光管９の動径方向に沿ってベース側底部５１２ｃ付近も含めて開口部５１２ａの一方の開口部側端部５１２ａ１から他方の開口部側端部５１２ａ１に渡り連続的に略三角形状断面を呈するように突出形成し、蛍光管９を装着する際の高さ方向の位置決めを行なう機能を持たせるようにしても良い。
【００７７】
尚、本願発明に係る蛍光管支持体において、の蛍光管を支持するための突出部の形状を、上述した実施形態や複数の実施例に示されるように、断面矩形状や断面三角形状に突設されたり、部分的に構成したり、また連続的に構成しているが、突出部の構成を限定するものではなく、突出部の頂点（蛍光管と接触する部分）に所定の面積を有した平面もしくは曲面を有するものであっても良い。その面積も比較的少なければ前述の問題点の解決手段としては有効に成り得る。
【００７８】
すなわち、蛍光管支持体の蛍光管が収納される収納部の内側部の一部や該収納部に隣接する部分に、蛍光管の外周部の一部に接触するように突出させたり、凸部を設ける構成は色々に展開が可能である。
【図面の簡単な説明】
【００７９】
【図１】本発明の一実施形態に係る蛍光管支持体が採用された直下式バックライト装置を適応した液晶表示装置の構成を示す側面断面図である。
【図２】図１のＡ部の詳細図であって前記蛍光管支持体の構成を示す部分詳細図である。
【図３】前記蛍光管支持体の蛍光管を収納する収納部の構成を示す部分詳細図である。
【図４】（ａ），（ｂ）は本発明の実施例１に係るランプクリップの構成を示す説明図であって、（ａ）は前記ランプクリップの正面図、（ｂ）は前記ランプクリップの平面図である。
【図５】前記ランプクリップの蛍光管を収納する収納部の構成を示す部分詳細図である。
【図６】（ａ），（ｂ）は実施例２に係るランプクリップの構成を示す説明図であって、（ａ）は前記ランプクリップの正面図、（ｂ）は前記ランプクリップの平面図である。
【図７】前記ランプクリップの蛍光管を収納する収納部の構成を示す部分詳細図である。
【図８】（ａ），（ｂ）は実施例３に係るランプクリップの構成を示す説明図であって、（ａ）は前記ランプクリップの正面図、（ｂ）は前記ランプクリップの平面図である。
【図９】前記ランプクリップの蛍光管を収納する収納部の構成を示す部分詳細図である。
【図１０】（ａ），（ｂ）は実施例３に係るランプクリップの一変形例の構成を示す説明図であって、（ａ）は前記ランプクリップの正面図、（ｂ）は前記ランプクリップの平面図である。
【図１１】図１０のＢ部の詳細図であって前記ランプクリップの収納部の構成を示す斜視図である。
【図１２】前記ランプクリップの蛍光管を収納する収納部の構成を示す部分詳細図である。
【図１３】（ａ），（ｂ）は実施例３に係るランプクリップのその他の変形例の構成を示す説明図であって、（ａ）は前記ランプクリップの正面図、（ｂ）は前記ランプクリップの平面図である。
【図１４】従来の直下式バックライトを構成するランプクリップの構成を示す斜視図である。
【図１５】従来の液晶表示装置の構成を示す側面断面図である。
【図１６】（ａ）は前記ランプクリップの正面図、（ｂ）は前記ランプクリップの平面図である。
【図１７】従来の液晶表示装置の問題点を反影した表示画面の状態を示す説明図である。
【符号の説明】
【００８０】
１  液晶表示装置
２  直下式バックライト装置
３  液晶パネル
４  反射偏光板
５  プリズムシート
６  拡散シート
７  拡散板
８  筐体
８ａ  反射シート
８ａ１，８ａ２  穴
９  蛍光管
１０，１１０，２１０，３１０  ランプクリップ
１１，１１１，２１１，３１１  ベース部
１１ａ  上面
１１ｂ  裏面
１２，１１２，２１２，３１２，４１２，５１２  収納部
１２ａ，１１２ａ，２１２ａ，３１２ａ，４１２ａ，５１２ａ  開口部
１２ｂ，１１２ｂ，２１２ｂ，３１２ｂ，４１２ｂ，５１２ｂ  突出部
１２ｃ，１１２ｃ，２１２ｃ，３１２ｃ，４１２ｃ，５１２ｃ  ベース側底部
１４  係合部
１４ａ  軸部
１４ｂ  ストッパ部
１６  拡散板支持用突起部
１７，１１７，２１７，３１７  突出部
１１２ａ１，２１２ａ１，３１２ａ１，４１２ａ１，５１２ａ１  開口部側端部
【図１】
2006286341.tif 000003
【図２】
2006286341.tif 000004
【図３】
2006286341.tif 000005
【図４】
2006286341.tif 000006
【図５】
2006286341.tif 000007
【図６】
2006286341.tif 000008
【図７】
2006286341.tif 000009
【図８】
2006286341.tif 000010
【図９】
2006286341.tif 000011
【図１０】
2006286341.tif 000012
【図１１】
2006286341.tif 000013
【図１２】
2006286341.tif 000014
【図１３】
2006286341.tif 000015
【図１４】
2006286341.tif 000016
【図１５】
2006286341.tif 000017
【図１６】
2006286341.tif 000018
【図１７】
2006286341.tif 000019